【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
少なくとも一個の塗装キャビン（１１０）と、
液体塗料の過剰噴霧の粒子が塗装設備（１００）の塗布区域（１０８）において排出空気流（１２０）内へ進入するとき、液体塗料の過剰噴霧の粒子を含む排出空気流（１２０）から液体塗料の過剰噴霧を分離する少なくとも一個のデバイス（１２６）と、
を備える、被加工材を塗装する設備において、
前記デバイス（１２６）は、前記排出空気流（１２０）の少なくとも一部分から前記過剰噴霧を分離する少なくとも一台の分離デバイス（１４５）を備え、
該分離デバイスは、少なくとも一個の再生可能な表面フィルタ（１４６）を有し、
前記塗布区域（１０８）から前記分離デバイス（１４５）までの前記排出空気流（１２０）の流路は少なくとも一個の狭い領域（１４０）を有し、
前記排出空気流（１２０）から液体塗料の過剰噴霧を分離する前記デバイス（１２６）は、前記塗装キャビン（１１０）の長手中心平面（１９４）に対して対称的に構成され、
前記再生可能な表面フィルタ（１４６）は、長手中心平面（１９４）の一方側にのみ配置されることを特徴とする、設備。
【請求項２】
前記狭い領域（１４０）は前記塗布区域（１０８）の下方に配置されることを特徴とする、請求項１に記載の設備。
【請求項３】
前記狭い領域（１４０）は前記塗装キャビン（１１０）の床面積の垂直投影内に配置されることを特徴とする、請求項２に記載の設備。
【請求項４】
前記排出空気流（１２０）の流れ方向における前記狭い領域（１４０）の長さは６ｍより短いことを特徴とする、請求項１から３のいずれか一項に記載の設備。
【請求項５】
前記排出空気流（１２０）の流れ方向における前記狭い領域（１４０）の長さは１ｍより短いことを特徴とする、請求項４に記載の設備。
【請求項６】
前記排出空気流（１２０）の流れ方向における前記狭い領域（１４０）の長さは０.５ｍより短いことを特徴とする、請求項５に記載の設備。
【請求項７】
前記塗布区域（１０８）は長手方向（１０６）を備える塗装キャビン（１１０）内に配置され、
前記狭い領域（１４０）は、前記塗装キャビン（１１０）の前記長手方向（１０６）において複数個の絞り下位領域へ細分されることを特徴とする、請求項１から６のいずれか一項に記載の設備。
【請求項８】
前記狭い領域（１４０）内への前記排出空気流（１２０）の入口は前記少なくとも一個の再生可能な表面フィルタ（１４６）の上方に配置されることを特徴とする、請求項１から７のいずれか一項に記載の設備。
【請求項９】
前記塗布区域（１０８）は横断方向（１１２）を備えた塗装キャビン（１１０）内に配置され、
前記排出空気流（１２０）が通過する前記狭い領域（１４０）の最小断面積は前記塗装キャビン（１１０）の前記横断方向（１１２）において、前記塗装キャビン（１１０）の前記横断方向（１１２）における前記塗装キャビン（１１０）の面積の多くとも２０％であることを特徴とする、請求項１から８のいずれか一項に記載の設備。
【請求項１０】
前記少なくとも一個の再生可能な表面フィルタ（１４６）の垂直方向の上方には、少なくとも一個の流れ遮蔽要素（１３２）が配置され、
前記流れ案内要素（１３２）は、少なくとも断面において実質的に水平に方向付けられ、前記塗布区域（１０８）から前記再生可能な表面フィルタ（１４６）上へ物体、塵埃および／または塗料粒子が垂直に落下することを防止することを特徴とする、請求項１から９のいずれか一項に記載の設備。
【請求項１１】
前記少なくとも一個のデバイス（１２６）は、流れチャンバ（１２８）を備え、
前記再生可能な表面フィルタ（１４６）が配置された前記流れチャンバ（１２８）の側の逆である前記流れチャンバ（１２８）の側は、排出空気流（１２０）が通過する前記流れチャンバ（１２８）の領域から、垂直仕切壁（１９８）により分離されて、分離領域（２００）が形成されることを特徴とする、請求項１から１０のいずれか一項に記載の設備。
【請求項１２】
前記分離領域（２００）内に、ファン、貯蔵容器および／またはポンプおよび／または排出空気ダクトのような補助装置を収容することを特徴とする、請求項１１に記載の設備。
【請求項１３】
前記分離領域（２００）を備える前記流れチャンバ（１２８）は、実質上、塗装キャビン（１１０）の床面積の垂直投影内に配置されることを特徴とする、請求項１１または１２に記載の設備。
【請求項１４】
前記分離領域（２００）は、前記デバイス（１２６）の基部（２０２）の少なくとも一部をカバーし、上方では流れ案内要素（１３２）により区画形成されると共に、側方では前記仕切壁（１９８）により画定されていることを特徴とする、請求項１１から１３のいずれか一項に記載の設備。
【請求項１５】
前記デバイス（１２６）は、流れチャンバ（１２８）を備え、
該流れチャンバ（１２８）は、流れ案内要素（１３２）により上側区画（１３６）および下側区画（１３８）へ細分され、
前記上側区画（１３６）および前記下側区画（１３８）は、狭い領域（１４０）により相互に接続され、該狭い領域は、排出空気立坑（１８８）を形成し、該排出空気立坑は、被加工材の搬送方向（１０６）に延びる立坑側壁により区画形成されることを特徴とする、請求項１から１４のいずれか一項に記載の設備。
【請求項１６】
前記デバイス（１２６）は少なくとも一本の排出空気ダクト（１６０）を備え、該排出空気ダクトには前記分離デバイス（１４５）を通過した後に前記排出空気流（１２０）の少なくとも一部分が進入し、前記排出空気ダクト（１６０）は前記塗装キャビン（１１０）の床面積の垂直投影内に配置されることを特徴とする、請求項１から１５のいずれか一項に記載の設備。
【請求項１７】
前記少なくとも一個の再生可能な表面フィルタ（１４６）は、フィルタ表面（１５６）の目詰まりを防止するプレコート材料から成る障壁層を有することを特徴とする、請求項１から１６のいずれか一項に記載の設備。
【請求項１８】
プレコート材料および堆積した液体塗料の過剰噴霧のための収集タンク（２０６）が、前記再生可能な表面フィルタ（１４６）の下に垂直に配置され、
前記再生可能な表面フィルタ（１４６）から間欠的に除去されたプレコート材料および堆積した液体塗料の過剰噴霧は、前記収集タンク（２０６）内に収集されることを特徴とする、請求項１７に記載の設備。
【請求項１９】
前記デバイス（１２６）は、前記排出空気流（１２０）内へプレコート材料を放出する少なくとも一つのプレコート供給手段（１４４）を有することを特徴とする、請求項１７または１８に記載の設備。
【請求項２０】
前記プレコート材料は、石灰、ケイ酸アルミニウム、酸化アルミニウム、酸化ケイ素または粉末塗料から成ることを特徴とする、請求項１９に記載の設備。
【請求項２１】
前記少なくとも一個の再生可能な表面フィルタ（１４６）は、間欠的に清浄化されることを特徴とする、請求項１から２０のいずれか一項に記載の設備。
【請求項２２】
前記少なくとも一個の再生可能な表面フィルタ（１４６）は、前記デバイス（１２６）の作動中に湿った表面を有することを特徴とする、請求項１から２１のいずれか一項に記載の設備。
【請求項２３】
前記少なくとも一個の再生可能な表面フィルタ（１４６）のフィルタ表面は、連続的または間欠的に清浄化することができることを特徴とする、請求項２２に記載の設備。
【請求項２４】
前記デバイス（１２６）は空気再循環回路（１７０）を有し、液体塗料の過剰噴霧が分離された前記排出空気流（１２０）は前記空気再循環回路において、少なくとも部分的に前記塗布区域（１０８）へ再び送給されることを特徴とする、請求項１から２３のいずれか一項に記載の設備。
【請求項２５】
前記少なくとも一個の再生可能な表面フィルタ（１４６）は、塗装キャビン（１１０）の床面積の垂直投影内に配置されていることを特徴とする、請求項１から２４のいずれか一項に記載の設備。
【請求項２６】
塗装される被加工材は車体（１０２）であることを特徴とする、請求項１から２５のいずれか一項に記載の設備。